(57)【要約】  液晶マトリックスディスプレイには、少なくとも第１のフレーム選択信号（ＬａｔｃｈＡ）および第２のフレーム選択信号（ＬａｔｃｈＢ）を送出するマトリックスドライバと、マトリックスの各画素素子（ＸＬｉ，ｊ）に関連する第１の書き込み装置（ＷＡｉ，ｊ）および第２の書き込み装置（ＷＢｉ，ｊ）とが含まれ、書き込み装置の１つが、画素素子（ＸＬｉ，ｊ）の関連する選択線（Ｌｉ）に接続され、もう一方が、マトリックスの別の選択線（Ｌｉ＋１）に接続されている。これらの書き込み装置は、クロスサンプルおよび転送コマンドを伴うタイプのものであり、第１のフレーム選択信号（ＬａｔｃｈＡ）が、第１の書き込み装置におけるサンプリング、および第２の書き込み装置において既にサンプリングされた情報と画素素子との接触をもたらし、第２のフレーム選択信号（ＬａｔｃｈＢ）が、第２の書き込み装置におけるサンプリング、および第１の書き込み装置において既にサンプリングされた情報と画素素子との接触をもたらす。投影システム、とりわけカラー順次表示モードを用いるシステム、およびバーチャルリアリティシステムへの用途がある。【選択図】      図４
2008506979.tif 000002
【特許請求の範囲】
【請求項１】
画素素子のマトリックスを含み、各画素素子が、前記マトリックスの選択線（Ｌｉ）およびデータ線（Ｃｏｌｊ）に関連している液晶マトリックスディスプレイであって、
−  少なくとも第１のフレーム選択信号（ＬａｔｃｈＡ）および第２のフレーム選択信号（ＬａｔｃｈＢ）を送出するマトリックスドライバと、
−  前記マトリックスの各画素素子（ＸＬｉ，ｊ）に関連する第１の書き込み装置（ＷＡｉ，ｊ）および第２の書き込み装置（ＷＢｉ，ｊ）であって、前記書き込み装置が、クロスサンプリングおよび転送コマンドを伴うタイプのものであり、前記第１のフレーム選択信号（ＬａｔｃｈＡ）が、前記第１の書き込み装置における前記サンプリング、および前記第２の書き込み装置において既にサンプリングされた情報と前記画素素子との接触をもたらし、前記第２のフレーム選択信号（ＬａｔｃｈＢ）が、前記第２の書き込み装置における前記サンプリング、および前記第１の書き込み装置において既にサンプリングされた情報と前記画素素子との接触をもたらし、一方の書き込み装置が、前記画素素子（ＸＬｉ，ｊ）の前記関連する選択線（Ｌｉ）に接続され、もう一方の装置が、前記マトリックスの別の選択線（Ｌｉ＋１）に接続されている第１の書き込み装置および第２の書き込み装置と、
を含むことを特徴とするマトリックスディスプレイ。
【請求項２】
前記第１のフレーム選択信号（ＬａｔｃｈＡ）および前記第２のフレーム選択信号（ＬａｔｃｈＢ）が、互いに反転された２値信号であることを特徴とする、請求項１に記載のマトリックスディスプレイ。
【請求項３】
前記ドライバが、各新フレームにおいて、前記第１のフレーム選択信号（ＬａｔｃｈＡ）および第２のフレーム選択信号（ＬａｔｃｈＢ）のレベルを反転させることを特徴とする、請求項２に記載のマトリックスディスプレイ。
【請求項４】
前記ドライバが、各新カラーフレームにおいて、前記第１のフレーム選択信号（ＬａｔｃｈＡ）および第２のフレーム選択信号（ＬａｔｃｈＢ）のレベルを反転させることを特徴とする、請求項２に記載のマトリックスディスプレイ。
【請求項５】
前記第１および第２の書き込み装置のそれぞれが、前記データ線（Ｃｏｌｊ）と前記画素素子（ＸＬｉ，ｊ）との間に直列に接続された第１（Ｔａ）、第２（Ｔｂ）および第３（Ｔｃ）のスイッチング回路、ならびに記憶静電容量（Ｃｍ）であって、その一端子が、前記第２（Ｔｂ）および第３（Ｔｃ）のスイッチング回路間に接続され、別の端子が、基準電圧素子に接続された記憶静電容量を含むことを特徴とする、請求項１に記載のマトリックスディスプレイ。
【請求項６】
前記スイッチング回路がトランジスタである、請求項１に記載のマトリックスディスプレイ。
【請求項７】
請求項３に記載のマトリックスディスプレイにおいて、画像の全ての点を同時に修正するためのシステムであって、前記フレーム選択信号ＬａｔｃｈＡおよびＬａｔｃｈＢが、各新フレームにおいて反転されて、先行フレームにおいて格納された情報を表示するように、かつ新フレームに対応する情報をサンプリングするようにするシステム。
【請求項８】
カラー順次モードで用いるように設計された、請求項４に記載のマトリックスディスプレイを含む投影システムであって、
前記選択信号ＬａｔｃｈＡおよびＬａｔｃｈＢが、各新カラーフレームにおいて反転されることを特徴とする投影システム。
【請求項９】
白色光源（２）およびカラーフィルタ（Ｆ）を含み、前記ディスプレイが、前記フィルタにより予め決定されたシーケンスに従って、赤色光、緑色光、および青色光で順次に照射され、前記ドライバが、前記ディスプレイが照射される色に対応して、先行カラーフレームにおいて格納された情報を表示するように設計されていることを特徴とする、請求項８に記載の投影システム。
【請求項１０】
請求項７〜９のいずれか一項に記載の投影システムを含むビデオ画像表示システム。
【請求項１１】
請求項７〜９のいずれか一項に記載の投影システムを含むバーチャルリアリティシステム。
【発明の詳細な説明】
【技術分野】
【０００１】
本発明は、マトリックスをアドレス指定するためのカラー順次モードを可能にする書き込み装置を含むマトリックスディスプレイに関する。かかるモードでは、カラー画像を得るために、赤フレーム、次に緑フレーム、次に青フレームのデータが、マトリックスによって連続的に表示される。したがって、各ビデオ表示フレームには、３つのカラーフレームが含まれる。
【背景技術】
【０００２】
かかるディスプレイシステムは、ディスプレイの数を制限することにより、かつ用いられる単一のディスプレイが必要とするものに光学機器を制限することによりカラービデオ画像投影システムのコストを削減するために、特に用いられる。カラー画像は、ＬＣＤマトリックス画面上に形成されるが、このマトリックス画面は、たとえば、照射ビームにおける異なる色のセグメントに自身の表面が分割されているディスクによって、３つの異なる色、すなわち赤、緑、青で連続的に照射される。
【０００３】
たとえばバーチャルリアリティシステム（「眼の近くの」タイプのコンパクトなシステム用ＬＣＤ投影システム）を用いる用途などの他の用途が目標にされている。この分野において、大きな問題は、システムのサイズである。バーチャル画像を表示するために単一システムを用いることによって、うまく適応された解決策が提供される。
【０００４】
モノクロ画像を表示する通常の方法で用いられる従来のマトリックスディスプレイを考えると、画素素子への情報の書き込みには、１つの画素素子当たりただ１つの書き込み装置だけが必要である。各画素素子は、マトリックスの行に対応する選択線、およびマトリックスの列に対応するデータ線に連結されている。この書き込み装置は、典型的にはサンプルアンドホールドデバイスであるが、列の入力部において提供されたデータビットを格納するための、このサンプルアンドホールドデバイスのコマンドは、選択線によりサンプラーを作動させることによって生成される。したがって、画像は、選択線の連続的な作動によって、順次に更新される。
【０００５】
かかる書き込み装置の一例を図１に示す。この図には、同じマトリックス行ｉの２つの画素素子ＸＬｉ，ｊおよびＸＬｉ，ｊ＋１が示されている。これらの画素素子は、それぞれの書き込み装置、すなわち画素素子ＸＬｉ，ｊのためのＷｉ，ｊおよびＸＬｉ，ｊ＋１のためのＷｉ，ｊ＋１によって、選択線Ｌｉへ、ならびにそれぞれのデータ線、すなわち画素素子ＸＬｉ，ｊのためのＣｏｌｊおよび画素素子ＸＬｉ，ｊ＋１のためのＣｏｌｊ＋１へ連結されている。
【０００６】
各画素素子は、追加の記憶コンデンサＣｓｔｏと並列な、ＣＸＬで示されるその等価静電容量によって表わされるが、Ｃｓｔｏは、ＣＸＬの値が一般に小さすぎて、全フレーム時間の間情報を保持することができないので、一般に含まれる。一例において、静電容量ＣＸＬは、約１．５フェムトファラドであり、コンデンサＣｓｔｏは、約５０フェムトファラドの値を有して、構造体からの様々な損失の補償を可能する。
【０００７】
各書き込み装置、たとえばＷｉ，ｊは、サンプルアンドホールド回路である。この例では、この回路には、データ線Ｃｏｌｊと画素素子ＸＬｉ，ｊとの間に接続されたスイッチングトランジスタＴ１が含まれる。トランジスタＴ１は、そのゲートが選択線Ｌｉに接続され、１つの電極（ソースまたはドレイン）がデータ線Ｃｏｌｊに接続されている。記憶コンデンサＣｓｔｏは、トランジスタＴ１のもう一方の電極と基準電圧、典型的にはグランドとの間に接続されている。選択線Ｌｉが作動されると、トランジスタは、短絡回路と同様になって、記憶コンデンサＣｓｔｏが、列に印加される電圧レベルＶＤであって、表示されるデータビットＤを表わす電圧レベルＶＤまで充電されるのを可能にする。その後、選択線は非作動にされ、トランジスタは、非導通状態に返る。データビットＤは、コンデンサＣｓｔｏに格納される。
【０００８】
マトリックスの全ての選択線が連続的に作動された場合には、フレームの全てのデータは、マトリックスの書き込み装置に格納される。今や各画素素子は、この素子に表示されるデータに対応する電圧レベルを有する。
【０００９】
かかるシステムは、カラー順次モードでは働かない。実際には、画像に対応する各フレームに対して、赤色に関するデータをサンプリングし、次にそれを画素素子に転送し、同じことを緑色、次に青色にすることが必要である。従来のカラー順次アドレス指定方法では、たとえば、緑の照射時間中に、緑色データを優先して、赤色データが消去されることになるであろう。その結果は、測色情報の容認できない損失になるであろう。
【００１０】
したがって、図２に示すように、各ピクセルのレベルで、直列の少なくとも２つのサンプルアンドホールドデバイスを有することが不可欠である。第１のサンプルアンドホールドデバイス（トランジスタＴ１）は、中間記憶コンデンサＣｓｔｏＡ（サンプリングコンデンサ）において情報をサンプリングするために、前述のモードに従って用いられる。第２のサンプルアンドホールドデバイス（トランジスタＴ２）は、サンプリングコンデンサＣｓｔｏＡと記憶コンデンサＣｓｔｏＢとの間で情報を転送するために、各カラーフレームの最後に全ての画素のために作動されるが、ＣｓｔｏＢは、全カラーフレームにわたって有効のまま維持されることになる。
【００１１】
図２の画素モデルには、使用を困難にする重大な欠点がある。サンプリングされた電圧は、カラーフレームの最後における転送中に、２つのコンデンサＣｓｔｏＡおよびＣｓｔｏＢにわたって弱められる。この電圧低下は、シリコン上にアクティブマトリックスを備えたＬＣＤ画面にとっては容認できない。なぜなら、そのために、トランジスタの能力と適合しないアドレス指定電圧を用いることを強いられるからである。
【００１２】
したがって、ディスプレイの書き込み性能を改善するために、ドライバに関連して新しい書き込み装置が開発された。これらの装置において、２つのサンプラーＴ１、Ｔ２は、画素のそれぞれにおいて２倍にされ、２つにつき１つのフレームではサンプリングコンデンサがまた、記憶コンデンサとして働くようにされた。これにより、結果として、転送中に電圧低下がほとんどなくなる。
【００１３】
サンプラーのそれぞれの制御を区別するために、マトリックスの構造において、選択線が２倍にされた。したがって、図３に示すように、マトリックスの各行ｉに対して２つの選択線ＬＡｉおよびＬＢｉがある。線ＬＡｉは、マトリックスの選択線の第１のグループＡを形成する。線ＬＢｉは、マトリックスの選択線の第２のグループＢを形成する。書き込み装置は、同じやり方で２倍にされるが、１つは、選択線ＬＡｉによって制御されるＷＡｉ，ｊであり、もう一方は、選択線ＬＢｉによって制御されるＷＢｉ，ｊである。アドレス指定ドライバは、フレームに依存して交替するコマンドを用いて、２倍の線を制御しなければならない。たとえば、一フレームにおいて、フレーム信号ＬａｔｃｈＡが１であり、フレーム信号ＬａｔｃｈＢが０である場合には、アドレス指定ドライバは、グループＢの線ＬＢＩを次々に作動させて、新フレームのデータをサンプリングするようにし、一方で、グループＡの書き込み装置ＷＡｉ，ｊに前のフレームの間に格納された情報と画素素子との間で、接触が確立される。フレーム信号ＬａｔｃｈＡが０になり、フレーム信号ＬａｔｃｈＢが１になる場合には、アドレス指定ドライバは、グループＡの線ＬＡｉを次々に作動させて、新フレームのデータをサンプリングするようにし、一方で、グループＢの書き込み装置ＷＢｉ，ｊに前のフレームの間に格納された情報と画素素子との間で、接触が確立される。要するに、信号ＬａｔｃｈＡおよびＬａｔｃｈＢは、フレームインジケータ信号である。これらの信号に依存して、ドライバは、シフトレジスタによって一般に供給されるこれらの作動信号を、選択線のグループＡまたはグループＢへ向けて印加する。しかしながら、この解決法は、非常に扱いにくいことが分かる。なぜなら、この解決法は、マトリックス線の数を２倍にし、これが含意するレイアウト、他の信号との交差、およびスペース要件の全ての問題を伴うからである。それはまた、ラインドライバ回路の数を２倍にする。
【発明の開示】
【発明が解決しようとする課題】
【００１４】
本発明の主題は、サイズが低減されたマトリックスディスプレイである。
【００１５】
本発明の別の主題は、マトリックスの行または列を２倍にすることを伴わないカラー順次表示モードのために設計されたマトリックスディスプレイである。
【課題を解決するための手段】
【００１６】
本発明の根本概念は、クロス制御を伴う２つの書き込み装置を用いることである。
【００１７】
本発明の別の根本概念は、行の画素のために、その行に関連する選択線、および各画素素子の、クロス制御を伴う両方の書き込み装置を制御するためのマトリックスの別の選択線を用いることである。有利なことに、この別の選択線は、次の線である。マトリックスの最後の行については、それは追加の線になる。このようにして、追加的な接続線の数は、著しく低減される。さらに、クロス制御を形成するために必要な追加的なスイッチング素子は、わずかである。サイズが低減された競争力のあるディスプレイシステムが得られる。
【００１８】
したがって、本発明は、液晶マトリックスディスプレイであって、
−  画素素子のマトリックスであって、各画素素子が、マトリックスの選択線およびデータ線に関連するマトリックスと、
−  少なくとも第１のフレーム選択信号および第２のフレーム選択信号を送出するマトリックスドライバと、
−  マトリックスの各画素素子に関連する第１の書き込み装置および第２の書き込み装置であって、前記書き込み装置が、クロスサンプリングおよび転送コマンドを伴うタイプのものであり、第１のフレーム選択信号が、第１の書き込み装置におけるサンプリング、および第２の書き込み装置において既にサンプリングされた情報と画素素子との接触をもたらし、第２のフレーム選択信号が、第２の書き込み装置におけるサンプリング、および第１の書き込み装置において既にサンプリングされた情報と画素素子との接触をもたらし、一方の書き込み装置が、画素素子の関連する選択線に接続され、もう一方の装置が、マトリックスの別の選択線に接続されている第１の書き込み装置および第２の書き込み装置と、
を含む液晶マトリックスディスプレイに関する。
【００１９】
第１のフレーム選択信号および第２のフレーム選択信号は、互いに反転された２値信号である。
【００２０】
マトリックスディスプレイにおいて画像の全ての点を同時に修正するためのシステムにおいて用いられるように設計された動作モードに従って、ドライバは、各新フレームにおいて、前記第１のフレーム選択信号および第２のフレーム選択信号のレベルを反転させる。
【００２１】
カラー順次モードで用いられるように設計されたマトリックスディスプレイを含む投影システムで用いられるように設計された別の動作モードに従って、ドライバは、各新カラーフレームにおいて、前記第１のフレーム選択信号および第２のフレーム選択信号のレベルを反転させる。
【００２２】
本発明の他の特徴および利点は、本発明の次の説明で提示されるが、この説明は、非限定的であり、例としておよび添付の図面に関連して提示されている。
【発明を実施するための最良の形態】
【００２３】
マトリックスディスプレイの画素素子ＸＬｉ−１，ｊ、ＸＬｉ，ｊ、ＸＬｉ＋１，ｊ、およびそれらの関連する書き込み装置を図３に示す。
【００２４】
各画素素子と関連しているのは、フレーム選択信号ＬａｔｃｈＡおよびＬａｔｃｈＢによって制御される、クロスサンプルおよび転送コマンドを伴う第１の書き込み装置および第２の書き込み装置であり、これらの装置の１つは、問題の画素素子の選択線に関連し、もう一方の装置は、マトリックスの別の選択線に関連している。
【００２５】
より正確には、図４に示す画素素子ＸＬｉ，ｊを考えてみると、第１の書き込み装置ＷＡｉ，ｊが設けられて、データ線Ｃｏｌｊと画素素子との間に接続されている。この装置は、画素素子の選択線Ｌｉを作動させることによって選択される。この装置は、データ線Ｃｏｌｉに提供されたデータビットのサンプリングのために、第１のフレーム選択信号ＬａｔｃｈＡによって作動され、第２のフレーム選択信号ＬａｔｃｈＢによって、データ転送を命令される。
【００２６】
第２の書き込み装置ＷＢｉ，ｊが設けられて、データ線Ｃｏｌｊと画素素子との間に接続されている。この装置は、次の選択線Ｌｉ＋１を作動させることによって選択される。この装置は、データ線Ｃｏｌｊに提供されたデータビットに関し、第２のフレーム選択信号ＬａｔｃｈＢによってサンプリングのために作動され、第２のフレーム選択信号ＬａｔｃｈＡによってデータ転送を命令される。各装置において、サンプリングコマンドおよび転送コマンドは、互いに排他的である。サンプリングコマンドが一方の装置へ送信された場合には、もう一方の装置は転送コマンドを受信し、逆の場合も同様である。特に、例示的な一実施形態において、図４に示すように、各書き込み装置には第１のスイッチングトランジスタＴａが含まれ、そのゲートは、関連する選択線に接続され、その一電極は、関連するデータ線に接続されている。この第１のトランジスタは、第２のトランジスタＴｂと直列に接続され、第２のトランジスタＴｂのゲートは、２つのフレーム選択信号のうちの１つによって制御される。この第２のトランジスタは、一電極を、第１のトランジスタの電極に接続させ、もう一方の電極を、電圧基準、典型的にはグランドに接続された記憶コンデンサＣｍに接続させている。サンプリングされたデータは、このコンデンサに格納される。第３のトランジスタＴｃが、コンデンサと画素素子との間に接続されている。それは、もう一方のフレーム選択信号によって、そのゲートにおいて制御される。それによって、記憶コンデンサＣｍと画素素子の等価静電容量Ｃｅｑとの間で電荷を転送することが可能になる。
【００２７】
より一般的には、各書き込み装置には、データ線Ｃｏｌｊと画素素子ＸＬｉ，ｊとの間で直列に接続された第１のスイッチング回路Ｔａ、第２のスイッチング回路Ｔｂ、および第３のスイッチング回路Ｔｃ、ならびに一端子が前記第２および第３のスイッチング回路ＴｂおよびＴｃ間に接続され、別の端子が電圧基準素子に接続された記憶コンデンサＣｍがある。この例において、スイッチング回路は、ＭＯＳトランジスタである。しかしながら、特に利用する技術に依存して、任意の他の適切な半導体スイッチングデバイスを用いてもよい。
【００２８】
図１、２および３に関連して説明した先行技術の構造と比較して、本発明の構造は、マトリックスの最後の行の第２の書き込み装置をマトリックスの第１の行の選択線に接続するために、１つの追加的な接続線を必要とするだけである。この構造は、１つの装置当たり２つの追加トランジスタを必要とするが、しかし、占有される表面積の点では、それは、図３の構造において線を２倍にすることと比較して、重要ではない。
【００２９】
さらに、別の利点は、２つのトランジスタＴａおよびＴｂによる、静電容量Ｃｅｑにおける漏れの低減である。
【００３０】
本発明によるマトリックスディスプレイの順序付けモードを、図５で詳述する。
【００３１】
フレーム選択信号は、２値状態０または１の、相互に反対の２値信号である。
【００３２】
第１のシーケンスにおいて、ＬａｔｃｈＡ＝０およびＬａｔｃｈＢ＝ｌの場合には、関連するドライバによって列に印加されたデータは、画素素子の各行ｉにおいて、この行の次の選択線Ｌｉ＋１によって作動される書き込み装置ＷＢｉ，ｊにおいて連続的にサンプリングおよび格納され、一方で、この行ｉの選択線Ｌｉによって制御される書き込み装置ＷＡｉ，ｊに前のフレームの間に格納されたデータは、この行の画素素子ＸＬｉ，ｊへ転送される。次のシーケンスにおいて、ＬａｔｃｈＡ＝１およびＬａｔｃｈＢ＝０の場合には、関連するドライバによって列に印加されたデータは、画素素子の各行ｉにおいて、この行の選択線Ｌｉによって制御される書き込み装置ＷＡｉ，ｊにおいて連続的にサンプリングおよび格納され、一方で、この行ｉの次の選択線Ｌｉ＋１によって作動される書き込み装置ＷＢｉ，ｊに前のフレームの間に格納されたデータは、この行の画素素子ＸＬｉ，ｊへ転送される。サンプリングコマンドが、フレーム選択信号ＬａｔｃｈＢによってもたらされた場合に、（シフトレジスタにより）装置ＷＢｉ，ｊのトランジスタＴａを作動しかつサンプリングを可能にする、ドライバによって放射される行選択信号は、次の行ｉ＋ｌに放射される選択信号である。図５から、第１のシーケンスにおいて、信号ＳｅｌＬ１が、マトリックスの最後のｎ番目の行においてサンプリングを開始し、信号ＳｅｌＬ２が、マトリックスの第１の行においてサンプリングを開始し、信号ＳｅｌＬｉ＋１が、マトリックスのｉ番目の行においてサンプリングを開始する等である。
【００３３】
サンプリングコマンドがフレーム選択信号ＬａｔｃｈＡによってもたらされた場合に、（シフトレジスタにより）装置ＷＡｉ，ｊのトランジスタＴａを作動しかつサンプリングを可能にするのは、ドライバによって放射される行選択信号である。再び図５に関連し、第２のシーケンスにおいて、信号ＳｅｌＬ１が、マトリックスの第１の行１においてサンプリングを開始し、信号ＳｅｌＬ２が、マトリックスの第２の行においてサンプリングを開始し、信号ＳｅｌＬｉが、マトリックスのｉ番目の行においてサンプリングを開始する等である。
【００３４】
実際には、これは、信号を適切に交互に配置することによって行ドライバレベルにおいて管理するか、または表示すべきデータセットを適切に交互に配置することによって列ドライバレベルにおいて管理し、正確な行のデータが常にサンプリングされるようにすることができる。
【００３５】
図４に示す例において、線Ｌｉおよび次の線Ｌｉ＋１は、ｉ番目の行の画素素子の書き込み装置を制御するために用いられたが、線Ｌｉおよび線Ｌｉ−１、またはＬｉと異なる他の任意の線を取ることも、まさに同様に可能であることが注目される。直接隣接する線Ｌｉ＋１またはＬｉ−１を取る利点の一つは、接続および管理の単純さに存在する。
【００３６】
より一般的には、本発明は、本発明によるドライバを含むマトリックスディスプレイにおいて、画像の全ての点を同時に修正するためのシステムに適用される。先行フレームにおいて格納された情報を表示するために、かつ新フレームに対応する情報をサンプリングするために、各新フレームにおいて、フレーム選択信号ＬａｔｃｈＡおよびＬａｔｃｈＢは、反転される。
【００３７】
本発明によるマトリックスディスプレイによってカラー画像を表示するために、画像に対応する各フレームに対して、カラー順次ドライバは、各色のカラーフレーム、典型的には赤フレーム、緑フレームおよび青フレームを適用する。照射される色に対応して、先行フレームの間に格納された情報を表示するために、かつ同じ期間内に、新カラーフレームに対応する情報をサンプリングするために、各新カラーフレームにおいて、フレーム選択信号ＬａｔｃｈＡおよびＬａｔｃｈＢは、反転される。
【００３８】
本発明は、ビデオ投影システムおよびバーチャルリアリティシステムなど、関連用途において特に対象とされる、ＬＣＯＳタイプのマトリックスディスプレイを用いることに特に適合されているけれども、本発明において提示された原理に従って制御しようとすることが望ましい任意のタイプのディスプレイに適用することができる。
【００３９】
かかるマトリックスディスプレイ４を用いる投影システム１には、図７に概略的に示すように、典型的には５００ワットの白色光源２が典型的には含まれる。
【００４０】
このシステムには、ディスプレイ４のためのドライバ３が含まれるが、このドライバ３は、本発明に従ってフレーム選択信号ＬａｔｃｈＡおよびＬａｔｃｈＢを送出し、かつ選択線のためのドライバ３ａおよびデータ線のためのドライバ３ｂから形成されている。
【００４１】
カラービデオ画像投影システムの場合には、システムには、カラーフィルタＦが追加的に含まれる。ディスプレイは、フィルタによって、赤色、緑色、次に青色光で順次に照射される。ディスプレイは、フレーム選択信号ＬａｔｃｈＡおよびＬａｔｃｈＢを用いてドライバによって適切なやり方で制御され、それが照射される色に対応して、先行カラーフレームにおいて格納された情報を表示するように、および新カラーフレームに対応する情報をサンプリングするようにされる。
【００４２】
本発明は、他のシステムに適用することができる。本発明は、バーチャルリアリティ用途のための、かかる投影システムを含むビデオシステムにとりわけ適用することができる。
【図面の簡単な説明】
【００４３】
【図１】既に上記で説明したが、従来のマトリックスディスプレイの書き込み装置を示す。
【図２】既に上記で説明したが、１つの画素当たりの単一のサンプルアンドホールドを示す。
【図３】既に上記で説明したが、カラー順次表示制御を可能にする、先行技術による書き込み装置を示す。
【図４】カラー順次表示制御を可能にする、本発明による書き込み装置を示す。
【図５】本発明によるディスプレイの制御信号のタイミング図である。
【図６】対応する制御シーケンスを要約する表である。
【図７】本発明によるマトリックスディスプレイを用いた投影システムの概略図である。
【図１】
2008506979.tif 000003
【図２】
2008506979.tif 000004
【図３】
2008506979.tif 000005
【図４】
2008506979.tif 000006
【図５】
2008506979.tif 000007
【図６】
2008506979.tif 000008
【図７】
2008506979.tif 000009
【国際調査報告】
2008506979.tif 000010
2008506979.tif 000011
2008506979.tif 000012
2008506979.tif 000013
2008506979.tif 000014
2008506979.tif 000015